(57)【要約】【課題】味噌を容易に収納したり、取り出したりすることができる上、味噌を安価に包装することが可能な包装袋を提供する。【解決手段】収納容器Ｃ１は、透明な合成樹脂によって上部を開口した箱状に形成された蓋体１２付きのケース１と、透明な合成樹脂製シートによって形成されておりケース１の内部に収容されるガゼット袋Ｐ１とによって構成されている。ガゼット袋Ｐ１は、各折り込み部を形成している折り込み材の上端際の部分が帯状部材１０によって裏側の胴材の裏面にヒートシールされている。また、左右両サイドが上端まで至るようにヒートシールされており、それらの側方シール部の上端際の間に開口部が形成されている。さらに、ガゼット袋Ｐ１は、所定の高さ位置に開封予定位置が表示されており、水平方向に裁断可能になっている。【選択図】図１
2018047920.tif 000002
【特許請求の範囲】
【請求項１】
味噌を収納するための収納容器であって、
合成樹脂によって形成されており上部を開口してなる蓋付きのケースと、
合成樹脂製シートによって袋状に形成されており味噌を充填した状態で前記ケースの内部に収容される袋体とからなるものであるとともに、
前記袋体が、二つ折りされた折り込み材を表裏の胴材の左右に挟み込むことによって、左右両側にそれぞれ折り込み部を設けるとともに、挟み込まれた左右の各折り込み材の上端際の部分を、合成樹脂製で一定幅の帯状部材によって、表裏の胴材の裏面にヒートシールしたガゼット袋であることを特徴とする味噌用収納容器。
【請求項２】
前記ケースが、繰り返し使用可能なものであることを特徴とする請求項１に記載の味噌用収納容器。
【請求項３】
前記ケースが、透明な合成樹脂によって形成されており、前記袋体に内容物に関する情報が印刷されており、前記ケースの外側から前記袋体に施された印刷が視認可能となっていることを特徴とする請求項１、または請求項２に記載の味噌用収納容器。
【請求項４】
前記ケースが、直方体状のものであることを特徴とする請求項１〜３のいずれかに記載の味噌用収納容器。
【請求項５】
前記袋体が、ガスバリア性を有するものであることを特徴とする請求項１〜４のいずれかに記載の味噌用収納容器。
【請求項６】
前記袋体が、底部に折り込み部を設けたガゼット袋であることを特徴とする請求項１〜５のいずれかに記載の味噌用収納容器。
【請求項７】
前記袋体の所定の高さ位置に、水平方向に裁断して開封する開封予定位置が設定されていることを特徴とする請求項１〜６のいずれかに記載の味噌用収納容器。
【発明の詳細な説明】
【技術分野】
【０００１】
本発明は、粘度の高い半固形物である味噌を収納・包装するための収納容器あるいは包装袋に関するものである。
【背景技術】
【０００２】
粘度の高い半固形物である味噌を長期的に収納（包装）する部材としては、収納し易さと取り出し易さの観点から、合成樹脂製の蓋付きのケースが用いられることが多い。また、味噌用の収納容器としては、中身の状態を確認できるように透明な合成樹脂によって形成したケースが用いられることが多い（特許文献１）。
【先行技術文献】
【特許文献】
【０００３】
【特許文献１】実開平７−２６３９２号公報
【発明の概要】
【発明が解決しようとする課題】
【０００４】
しかしながら、上記した特許文献１の如き従来の味噌用の収納容器は、内容物を充填して陳列するためには、ケース本体、蓋体の他に、ケース本体の開口部で内部を密封するためのシール部材が必要である。また、内容物の商品名や性状を表示するためには、別途、それらを表示したシール等を作成してケースに貼り付けなければならない。それゆえ、従来の味噌用の収納容器は、包装に要する部材点数が多くなってしまうため、安価に包装することが難しい。さらに、特許文献１の如き味噌用の収納容器は、ケース本体の形態の保持性が高いため、味噌を冷蔵庫内で保存する上で使い勝手が良いものの、味噌がなくなった場合には、重量の大きなケース本体および蓋体を廃棄しなければならないため、環境負荷が大きい、という不具合もある。
【０００５】
本発明の目的は、上記従来の味噌用の収納容器が有する問題点を解消し、粘度の高い半固形物である味噌を容易に収納したり、取り出したりすることができる上、味噌を安価に包装することができ、かつ、廃棄する際の環境負荷が小さく、エコに貢献できる収納容器を提供することにある。
【課題を解決するための手段】
【０００６】
本発明の内、請求項１に記載された発明は、味噌を収納するための収納容器であって、合成樹脂によって形成されており上部を開口してなる蓋付きのケースと、合成樹脂製シートによって袋状に形成されており味噌を充填した状態で前記ケースの内部に収容される袋体とからなるものであるとともに、前記袋体が、二つ折りされた折り込み材を表裏の胴材の左右に挟み込むことによって、左右両側にそれぞれ折り込み部を設けるとともに、挟み込まれた左右の各折り込み材の上端際の部分を、合成樹脂製で一定幅の帯状部材によって、表裏の胴材の裏面にヒートシールしたガゼット袋であることを特徴とするものである。
【０００７】
請求項２に記載された発明は、請求項１に記載された発明において、前記ケースが、繰り返し使用可能なものであることを特徴とするものである。
【０００８】
請求項３に記載された発明は、請求項１、または請求項２に記載された発明において、前記ケースが、透明な合成樹脂によって形成されており、前記袋体に内容物に関する情報が印刷されており、前記ケースの外側から前記袋体に施された印刷が視認可能となっていることを特徴とするものである。
【０００９】
請求項４に記載された発明は、請求項１〜３のいずれかに記載された発明において、前記ケースが、直方体状のものである（水平断面が矩形状である）とともに、前記袋体が、左右両側に折り込み部を設けたものであることを特徴とするものである。
【００１０】
請求項５に記載された発明は、請求項１〜４のいずれかに記載された発明において、前記袋体が、ガスバリア性を有するものであることを特徴とするものである。
【００１１】
請求項６に記載された発明は、請求項１〜５のいずれかに記載された発明において、前記袋体が、底部に折り込み部を設けたガゼット袋であることを特徴とするものである。
【００１２】
請求項７に記載された発明は、請求項１〜６のいずれかに記載された発明において、前記袋体の所定の高さ位置に、水平方向に裁断して開封する開封予定位置が設定されていることを特徴とするものである。
【発明の効果】
【００１３】
請求項１に記載の味噌用収納容器は、蓋付きのケースとそのケースに収容される袋体とからなるものであるので、袋体内に味噌を充填（収納）し、その袋体をケース内にフィットするように収容して使用することができる。そして、袋体内の味噌を使い切った後には、袋体のみを折り畳んで廃棄することができるので、ゴミが嵩張らない。また、請求項１に記載の味噌用収納容器は、袋体が左右に折り込み部を設けたガゼット袋であり、各折り込み部を形成している折り込み材の上端際の部分が帯状部材によって表裏のいずれかの胴材の裏面にヒートシールされているため、袋体に味噌を充填する際に、開口部を大きくすることができるので、短時間の内に非常に容易に内容物を充填することができる（すなわち、味噌を排出するノズル等が引っ掛かったりすることなく充填することができる）。さらに、請求項１に記載の味噌用収納容器は、袋体の上端縁をヒートシールすることによって容易に密封することもできる。
【００１４】
請求項２に記載の味噌用収納容器は、前記ケースが、繰り返し使用可能なものであるので、最初にケース内に収容されていた袋体内の味噌を使い切った後には、その袋体のみを廃棄して、再度、味噌を充填した別の袋体を、同じケースに収納して冷蔵庫内等で保存することができる。したがって、ケース入りの味噌としての使い勝手の良さを損なうことなく、廃棄するゴミの量を少なくすることができ、環境負荷を小さくすることができる。
【００１５】
請求項３に記載の味噌用収納容器は、透明なケースの外側から袋体に施された内容物に関する印刷（味噌の商品名等）が視認可能となっているため、ケースの外側に、内容物の商品名や性状等を印刷したシールを貼り付ける必要がないので、少ない部材点数で安価に包装することができる。
【００１６】
請求項４に記載の味噌用収納容器は、ケースが直方体状であるため、味噌を充填することによって略直方体状になった袋体の下側の充填部分をケースの内部に隙間なく（フィットするように）収容することができるので、店頭や冷蔵庫内等において小さなスペースで効率良く収納することができる。
【００１７】
請求項５に記載の味噌用収納容器は、袋体がガスバリア性を有するものであるため、詰め替え用の袋体を単品で流通させる際でも、味噌の品質を保持し易い。また、袋体がガスバリア性を有しているため、ケースにはバリア性がなくても味噌の品質が保持されるので、ケースの材質が限定されない。それゆえ、結果的に、ケースを安価に製造することが可能となる。
【００１８】
請求項６に記載の味噌用収納容器は、袋体が底部に折り込み部を設けたガゼット袋であるので、袋体内に味噌を充填した際に、袋体の底部の折り込み部が拡がって矩形の底面を形成するため、充填された味噌を残さないように掻き出すことができる。また、袋体が自立し易いので、袋体によるディスプレイ効果が高い（袋体の前後面および側面に印刷された広告等を視認し易い）。
【００１９】
請求項７に記載の味噌用収納容器は、袋体の所定の高さ位置に設定される開封予定位置において水平方向に裁断すれば、裁断部が矩形に開口するため、充填された味噌を取り出し易い。
【図面の簡単な説明】
【００２０】
【図１】収納容器を分解して示す説明図（斜視図）である。
【図２】袋体を示す説明図である（ａは正面図であり、ｂはａにおけるＡ−Ａ線端面図であり、ｃはａにおけるＢ−Ｂ線端面図であり、ｄはａにおけるＥ−Ｅ線端面図であり、ｅはａにおけるＤ−Ｄ線端面図である）。
【図３】袋体を示す説明図（斜視図）である。
【図４】左右の折り込み材および底部の折り込み材を示す説明図である（ａは正面図であり、ｂは左側の折り込み材の下端際の左側面の端面図（すなわち、ａにおける矢印Ｃ方向の矢視図）であり、ｃは左側の折り込み材と底部の折り込み材とを分離した状態の斜視図である）。
【図５】袋体の使用状態を示す説明図（斜視図）である。
【図６】袋体の変更例を示す説明図である（ａは正面図であり、ｂはａにおけるＡ−Ａ線端面図であり、ｃはａにおけるＢ−Ｂ線端面図であり、ｄはａにおけるＥ−Ｅ線端面図である）。
【図７】袋体の変更例を示す説明図（斜視図）である。
【図８】折り込み材の変更例を示す説明図である（ａは左側の下端際の左側面の端面図であり、ｂは左側の部分および下側の部分の折り畳み状態を示す斜視図である）。
【図９】袋体の変更例を示す説明図（正面図）である。
【発明を実施するための形態】
【００２１】
以下、本発明に係る収納容器の一実施形態について詳細に説明する。本発明に係る収納容器は、粘度の高い半固形物である味噌を収納するためのものであり、透明な合成樹脂によって上部を開口した箱状に形成された蓋付きのケースと、透明な合成樹脂製シートによって表裏２枚の胴材の左右両側に折り込み部を設けた袋状に形成されており、ケースの内部に収容される袋体とからなるものである。
【００２２】
ケースは、合成樹脂製シートを真空成型や圧空成形等を利用して熱成形することで製造することができる。そのような合成樹脂製シートとしては、単層あるいは多層のシートを用いることができ、例えば、ポリプロピレンのシートを用いれば、安価に製造することができる。なお、合成樹脂製シートの厚みは、約２００〜１０００μｍであると好ましい。
【００２３】
一方、袋体は、柔軟な合成樹脂製シートによって形成されたものを好適に用いることができる。ここでいう合成樹脂製シートとは、合成樹脂フィルムを積層した積層フィルム、あるいは合成樹脂フィルムと紙やアルミ箔等とを積層した積層フィルム、共押出フィルム等のことである。袋体に用いられる合成樹脂製シートは、少なくとも片面（内面）が熱接着性（熱融着性）を有している必要がある。また、当該袋体は、味噌の品質を保持するために、ガスバリア性を有しており、２０℃６５％ＲＨにおける酸素透過度が、好ましくは２０ｃｃ／ｍ２・ｄａｙ・ａｔｍ以下、より好ましくは１０ｃｃ／ｍ２・ｄａｙ・ａｔｍ以下、最も好ましくは１ｃｃ／ｍ２・ｄａｙ・ａｔｍ以下である。
【００２４】
そして、そのような合成樹脂製シートとしては、たとえば、バリア層と熱接着層とを含む多層フィルムが用いられる。バリア層としては、エチレン−ビニルアルコール共重合体フィルム、バリア層としては、エチレン−ビニルアルコール共重合体フィルム、あるいはエチレン−ビニルアルコール共重合体フィルムまたはポリメタキシリレンアジパミドフィルムのナイロン等との共押し出しフィルムが挙げられる。また、酸化ケイ素や酸化アルミニウムが蒸着されたポリエステル等のフィルム、アルミニウム箔やアルミニウムが蒸着されたポリエステルやナイロン等のフィルムを用いても良い。熱接着層としては、たとえば、ポリエチレンや無延伸ポリプロピレン等のフィルムを用いることができる。
【００２５】
また、袋体は、上記した合成樹脂製シートを、二つ折りされた折り込み材を表裏の胴材の左右に挟み込むという態様で積層し、その積層体の下部（底部）および側部をヒートシールして袋状にすることによって製造される。また、そのように製袋する際に、左右の各折り込み材の上端際の部分を、合成樹脂製で一定幅の帯状部材によって、表裏の胴材の裏面にヒートシールすることが必要である。
【００２６】
各ヒートシール（側方シール部、底シール部の形成、帯状部材のヒートシール等）および裁断は、ガゼット製袋機を用いて、一連の加工として実施することも可能であるし、バッチ（非一連）の加工として実施することも可能である。なお、ヒートシールの温度は、特に限定されないが、ポリエチレン（直鎖状低密度ポリエチレン）フィルムを熱接着性フィルムとする合成樹脂製シートを用いる場合には、１７０〜２１０℃の範囲内にするのが好ましい。
【００２７】
また、袋体は、味噌が充填された状態で、容器内面に沿って、容器にフィットした状態で収容される大きさに形成されるのが好ましい。さらに、袋体は、左右に折り込み部を設けたもの（折り込み材を内向きに二つ折りに折り込んだもの、所謂、マチを設けたもの）であることが必要である。そのようなガゼット袋を用いることによって、ケース内への収容が容易となる上、袋体の自立性が高くなり、袋体のみで冷蔵庫内等へ収納することが可能となる、なお、袋体は、左右のみに折り込み部を設けたものに限定されず、底部に折り込み部を設けたものを用いることも可能である。そのように底部に折り込み部を設けた袋体を用いると、袋体の自立性がより良好なものとなるので好ましい。
【００２８】
また、袋体は、正面視で概ね矩形に形成されるが、その大きさは特に限定されず、高さ、幅ともに概ね５０〜３５０ｍｍの範囲内で、必要に応じて調整することができる。また、袋体は、左右両サイドに折り込み部（内向きに二つ折りに折り込んだ部分、所謂マチ）を設けたものであるが、当該折り込み部の幅（二つ折り部分の幅）も、特に限定されず、概ね１０〜７５ｍｍの範囲内で必要に応じて調整することができる。
【００２９】
また、袋体は、折り込み部の定幅部分の高さ位置において水平方向に裁断して開封する開封予定位置が設定されていると好ましい。ここで言う「開封予定位置が設定されている」とは、破線やハサミのマーク等を印刷すること等によって裁断（開封）すべき位置が表示されていること、サイドに水平方向への裁断のきっかけとなるノッチや切れ込みあるいは複数の細孔等の易開封手段が裁断すべき位置に設けられていること、手で裁断可能なように複数の切線、細孔（貫通孔あるいは未貫通孔）等が水平方向に直線状に連続的に設けられていること（たとえば、貫通あるいは未貫通のミシン目が設けられていること）等を含む概念である。なお、開封予定位置は、内部に充填した内容物（味噌）の上面より上側且つ帯状部材よりも下側の任意の高さ位置に設定するのが好ましい。
【実施例】
【００３０】
＜収納容器の構成＞
以下、本発明に係る味噌用収納容器（以下、単に、収納容器という）の一実施例について説明する。図１は、収納容器Ｃ１を示したものであり、収納容器Ｃ１は、ケース本体１１および蓋体１２からなるケース１と、袋体であるガゼット袋Ｐ１とによって構成されている。ケース１のケース本体１１は、透明な合成樹脂（厚さ７５０μｍのポリプロピレンシート）によって、上部を開口した直方体状に形成されており、縦（高さ）×横×奥行き＝８５ｍｍ×１１０ｍｍ×１１０ｍｍの大きさを有している。また、ケース１の蓋体１２は、ケース本体１１と同じ透明な合成樹脂（厚さ７５０μｍのポリプロピレンシート）によって形成されており、矩形の天板の前後左右から一定幅の帯状体を天板と直交するように下向きに延設した形状を有している。そして、当該蓋体１２は、ケース本体１１の開口部に外嵌することができるようになっている。
【００３１】
一方、図２、図３は、ガゼット袋Ｐ１を示したものであり、ガゼット袋Ｐ１は、表裏の合成樹脂製の胴材２ａ，２ｂ、左右の折り込み材３ａ，３ｂ、裏側の胴材２ｂに折り込み材３ａ，３ｂを融着させるための帯状部材１０、および、底部の折り込み材４を、所定の態様で重ね合わせて、所定の箇所をヒートシールすることにより、上部を開口した袋状に形成されている。
【００３２】
表裏の胴材２ａ，２ｂは、総厚１５μｍのポリエステル積層した二軸延伸ナイロンフィルム（ベースフィルム）の上に、１２μｍのエチレン−ビニルアルコール共重合体フィルム（中間層）に積層し、さらにその上に、厚さ８０μｍの直鎖状低密度ポリエチレンフィルム（熱接着性フィルム）を積層してなる合成樹脂製シートによって略矩形（縦長な長方形状）に形成されており、縦×横＝２２０ｍｍ×１０５ｍｍの大きさを有している。なお、表裏の胴材２ａ，２ｂには、充填する内容物（味噌）の商品名や性状等が印刷されている（図示せず）。
【００３３】
そして、それらの胴材２ａ，２ｂの左右の両側部には，それぞれ、胴材２ａ，２ｂと同じ合成樹脂製シートによって形成された折り込み材３ａ，３ｂが、所定の幅（約４７．５ｍｍ幅）の二つ折りになった状態で挟み込まれている。表裏の胴材２ａ，２ｂは、それぞれ、直鎖状低密度ポリエチレンフィルム（熱接着性フィルム）層を内側にした状態で配置されており、折り込み材３ａ，３ｂは、直鎖状低密度ポリエチレンフィルム層を表裏の胴材２ａ，２ｂの裏面側にした状態で配置されている（なお、本明細書中では、胴材２ａの後側の面を胴材２ａの裏面とし、胴材２ｂの前側の面を胴材２ｂの裏面とする）。
【００３４】
また、ガゼット袋Ｐ１の上端際の部分においては、帯状部材１０によって折り込み材３ａ，３ｂが裏側の胴材２ｂの内面（裏面）に固着された状態になっている。当該帯状部材１０は、厚さ１５μｍのナイロンフィルム（ベースフィルム）の上下に、それぞれ、厚さ２０μｍの直鎖状(線状)低密度ポリエチレン（ＬＬＤＰＥ）フィルムを積層してなる三層構造の合成樹脂製シートによって、縦（上下幅）×横＝２０ｍｍ×１０５ｍｍの帯状（テープ状）に形成されている（すなわち、帯状部材１０は、表裏両面が熱接着性を有している）。
【００３５】
そして、ガゼット袋Ｐ１の上端際の部分においては、帯状部材１０が、内側から折り込み材３ａ，３ｂに押し当てられた状態で、裏側の胴材２ｂの外側から加熱されることによって、折り込み材３ａ，３ｂおよび裏側の胴材２ｂにヒートシールされている。すなわち、図２ｃの如く、ガゼット袋Ｐ１の上端際の中央の部分においては、帯状部材１０の外面と胴材２ｂの裏面（内面）とが融着し合っており、ガゼット袋Ｐ１の上端際の左右の部分においては、それぞれ、帯状部材１０の外面と折り込み材３ａ，３ｂの裏面とが融着し合っている。さらに、その折り込み材３ａ，３ｂの裏面と融着し合った帯状部材１０の外側においては、裏側の胴材２ｂの裏面（内面）と折り込み材３ａ，３ｂの裏面とが融着し合っている。上記の如く、ガゼット袋Ｐ１の上端際の部分においては、帯状部材１０によって、左右の折り込み材３ａ，３ｂが裏側の胴材２ｂにヒートシールされていることにより、表側の胴材２ａと帯状部材１０との間が、内容物である味噌を充填するための面積の大きな開口部Ｏとなっている。
【００３６】
一方、ガゼット袋Ｐ１の左右の側縁際の胴材２ａ，２ｂと折り込み材３ａ，３ｂとの積層部分においては、一定幅（約８ｍｍ）の帯状の側方シール部５，５・・が設けられており、当該側方シール部５，５・・においては、表側の胴材２ａの裏面と折り込み材３ａ，３ｂの裏面、および、裏側の胴材２ｂの裏面と折り込み材３ａ，３ｂの裏面が、それぞれ融着し合っている（図２ｂ参照）。さらに、前方側（胴材２ａ側）の側方シール部５，５・・の上端際の部分においては、胴材２ａと帯状部材１０とが融着し合っている（図２ｃ参照）。
【００３７】
また、ガゼット袋Ｐ１の下端際には、表裏の胴材２ａ，２ｂの間に、底部の折り込み材４が挟み込まれている。図４は、ガゼット袋Ｐ１における左右両サイドの折り込み材３ａ，３ｂおよび底部の折り込み材４を示したものである。左右の各折り込み材３ａ，３ｂの下端際の部分は、それぞれ、断面（鉛直な断面）Ｍ字状になるように中側へ斜めに折り曲げられており、それらの屈曲部分Ｆ，Ｆの内部に、横長な帯状体を二つ折りにしてなる底部の折り込み材４の左右の両端際が挟み込まれている。なお、当該底部の折り込み材４は、胴材２ａ，２ｂ，折り込み材３ａ，３ｂと同様な合成樹脂製シートによって形成されており、裏面（熱接着性面）を外向きにした状態で二つ折りされている。そして、それらの左右の折り込み材３ａ，３ｂおよび底部の折り込み材４の表裏の外側に、胴材２ａ，２ｂが重ねられている。
【００３８】
そして、ガゼット袋Ｐ１の左右の側方シール部５，５・・の下端際の部分においては、断面Ｍ字状の屈曲部分Ｆの外側では、表側の胴材２ａの裏面と折り込み材３ａ，３ｂの裏面、および、裏側の胴材２ｂの裏面と折り込み材３ａ，３ｂの裏面が、それぞれ融着し合っており、屈曲部分Ｆの内側では、折り込み材３ａ，３ｂの裏面と底部の折り込み材４の裏面が融着し合っている。
【００３９】
また、底部の折り込み部（折り込み材４が挟み込まれた部分）の下端縁際の部分を一定の高さ（約８ｍｍ）の帯状にヒートシールすることによって底シール部１５，１５が形成されている。そして、それらの底シール部１５，１５においては、表側の胴材２ａの裏面と折り込み材４の裏面、および、裏側の胴材２ｂの裏面と折り込み材４の裏面が、それぞれ融着し合っている。
【００４０】
そして、上記の如く製袋されたガゼット袋Ｐ１の左右の折り込み部（折り込み材３ａ，３ｂを折り込んだ部分）の所定の高さ位置（内容物である味噌を充填したときにケース本体１１の高さ（８５ｍｍ）と略同一になる高さ位置）には、ハサミ等によって裁断（開封）すべき位置を示す破線Ｃが印刷によって表示されている。そして、その破線Ｃによって開封予定位置が設定された状態になっている。なお、図４に示すように、破線Ｃは、折り込み部３ａ，３ｂおよび胴材２ａ，２ｂを横断するように周状に印刷されている。
【００４１】
＜収納容器の作用＞
上記の如く構成された収納容器Ｃ１は、ガゼット袋Ｐ１のヒートシールされていない上端縁の開口部Ｏ（左右の側方シール部５，５同士の間で表側の胴材２ａと帯状部材１０との間の部分）から内容物である味噌を充填させる。そして、そのように味噌を充填した後に、ガゼット袋Ｐ１の上端縁の開口部Ｏの胴材２ａと帯状部材１０とをヒートシールすることによって、一定の高さで（約５ｍｍ〜１０ｍｍ）の帯状の頭シール部を形成するとともに、ガゼット袋Ｐ１を密封する。なお、頭シール部は、左右の側方シール部５，５と重なり合うように形成する。
【００４２】
ガゼット袋Ｐ１に上記の如く味噌を充填させると、折り込み材３ａ，３ｂの二つ折りになった部分が拡がって矩形状の側面を形成する。また、底部付近において折り込み材４が拡がって矩形状の底面を形成する。それゆえ、きわめて安定した状態で起立させることができる。そして、そのように味噌を充填させたガゼット袋Ｐ１を、ケース１のケース本体１１内に収容し、ガゼット袋Ｐ１の上部（概ねシール強化部８の上方の部分）を折り畳んで（図１参照）、ケース本体１１の開口部に、蓋体１２を装着することによって、味噌の梱包（包装）を完了する。
【００４３】
＜収納容器による効果＞
収納容器Ｃ１は、上記の如く、合成樹脂によって形成されており上部を開口してなる蓋付きのケース１と、合成樹脂製シートによって袋状に形成されておりケース１の内部に収容される袋体（ガゼット袋Ｐ１）とからなるものであるので、袋体内に味噌を充填（収納）し、その袋体をケース１内にフィットするように収容して使用することができる。そして、袋体内の味噌を使い切った後には、袋体のみを折り畳んで廃棄することができるので、ゴミが嵩張らない。また、収納容器Ｃ１は、袋体が左右に折り込み部を設けたガゼット袋Ｐ１であり、各折り込み部を形成している折り込み材３ａ，３ｂの上端際の部分が帯状部材１０によって裏側の胴材２ｂの裏面にヒートシールされているため、ガゼット袋Ｐ１に味噌を充填（収納）する際に、開口部Ｏを大きくすることができるので、短時間の内に非常に容易に充填することができる（すなわち、味噌を排出するノズル等が引っ掛かったりすることなく充填することができる）。さらに、収納容器Ｃ１は、ガゼット袋Ｐ１の上端縁をヒートシールすることによって容易に密封することもできる。
【００４４】
また、収納容器Ｃ１は、ケース１が、繰り返し使用可能なものであるので、最初にケース１内に収容されていたガゼット袋Ｐ１内の味噌を使い切った後には、そのガゼット袋Ｐ１のみを廃棄して、再度、味噌を充填した別のガゼット袋Ｐ１を、同じケース１に収納して冷蔵庫内等で保存することができる。したがって、ケース入りの味噌としての使い勝手の良さを損なうことなく、廃棄するゴミの量を少なくすることができ、環境負荷を小さくすることができる。
【００４５】
さらに、収納容器Ｃ１は、ケース１が、透明な合成樹脂によって形成されているとともに、ガゼット袋Ｐ１に内容物に関する情報が印刷されており、ケース１の外側からガゼット袋Ｐ１に施された印刷が視認可能となっているため、ケース１の外側に、内容物の商品名や性状等を印刷したシールを貼り付ける必要がないので、少ない部材点数で安価に包装することができる。
【００４６】
加えて、収納容器Ｃ１は、ガゼット袋Ｐ１がガスバリア性を有するものであるため、詰め替え用のガゼット袋Ｐ１を単品で流通させる際でも、味噌の品質を保持し易い。また、ケース１にはバリア性がなくても味噌の品質が保持されるため、ケース１の材質が限定されないので、ケース１を安価に製造することができる。
【００４７】
また、収納容器Ｃ１は、ケース１が直方体状のものであるため、味噌を充填することによって略直方体状になったガゼット袋Ｐ１の下側の充填部分をケース１の内部に隙間なく（フィットするように）収容することができるので、店頭や冷蔵庫内等において小さなスペースで効率良く収納することができる。
【００４８】
さらに、収納容器Ｃ１は、ケース１に収納されるガゼット袋Ｐ１が、底部に、二つ折りされた一定の幅を有する折り込み部（折り込み材４からなる部分）を設けたものであるので、ガゼット袋Ｐ１内に味噌を充填した際に、ガゼット袋Ｐ１の底部の折り込み部が拡がって矩形の底面を形成するため、充填された味噌を残さないように掻き出すことができる。また、ガゼット袋Ｐ１が自立し易いので、ガゼット袋Ｐ１によるディスプレイ効果が高い（ガゼット袋Ｐ１の前後面および側面に印刷された広告等を視認し易い）。
【００４９】
加えて、収納容器Ｃ１は、ガゼット袋Ｐ１の所定の高さ位置において水平方向に裁断して開封する開封予定位置Ｃが設定されており、その開封予定位置Ｃにおいて水平方向に裁断すれば、裁断部が矩形に開口するため、充填された味噌を取り出し易い。
【００５０】
＜収納容器の変更例＞
本発明に係る収納容器の構成は、上記した各実施形態の態様に何ら限定されるものではなく、ケース（ケース本体、蓋体）、袋体（胴材や折り込み部を形成するための合成樹脂製シートの材質、大きさ（高さ、幅、マチの幅、マチの構造等）、底シール部、側方シール部、頭シール部の形状等）の構成を、本発明の趣旨を逸脱しない範囲で、必要に応じて適宜変更できる。
【００５１】
たとえば、袋体（ガゼット袋）の胴材や折り込み部を形成するための合成樹脂製シートは、上記実施形態の如く、ナイロンフィルムとエチレン−ビニルアルコール共重合体フィルムとポリエチレンフィルム（直鎖状低密度ポリエチレンフィルム）とを積層させたものに限定されず、他の材質の合成樹脂フィルムを積層させたものでも良いし、金属箔や金属蒸着フィルム等を積層させたものでも良い。なお、合成樹脂製シートとして、ナイロンフィルムとエチレン−ビニルアルコール共重合体フィルムとポリエチレンフィルム（直鎖状低密度ポリエチレンフィルム）とを積層させたものを用いた場合には、袋体の胴材や折り込み材の強度が良好なものとなるとともに、袋体の製造が容易なものとなる。また、酸素バリア性に優れるため、味噌用の包装体に好適である。上記実施形態ではナイロンフィルムがポリエステル積層した二軸延伸ナイロンフィルムであり、合成樹脂製シートにポリエステル層を含むため、寸法安定性に優れ、より効率よく袋体（ガゼット袋）を製造することができる。
【００５２】
また、袋体（ガゼット袋）は、上記実施形態の如く、下端際に折り込み部４を設けたものに限定されず、下端際に一定幅の底シール部のみが設けられているものや、図６、図７の如く、下端際に、一定幅の底シール部１５とともに傾斜した帯状のヒートシール部（傾斜シール部）２０，２０が設けられているもの（ガゼット袋Ｐ２）や、下端際の左右に上方から下方にかけて次第に幅広になる幅広部を設けたもの（図示せず）等に変更することも可能である。そのように、下端際に一定幅の底シール部１５とともに傾斜シール部２０，２０を設けた場合や、下端際の左右に幅広部を設けた場合でも、袋体は、味噌を充填させた際に、折り込み材３ａ，３ｂの中間部分（上下の端縁際以外の部分）が拡がるとともに、左右前後の傾斜シール部２０，２０・・の上端際の部分（すなわち、側方シール部５，５・・と傾斜シール部２０，２０・・とが重なった部分）あるいは幅広部の上端際の部分において、胴材２ａおよび胴材２ｂが折り込み材３ａ，３ｂとともに屈曲するので、下側の部分が略直方体状となるため、安定した状態で起立させることができ、商品として陳列等に供することができるものとなる。
【００５３】
加えて、袋体（ガゼット袋）は、所定の高さ位置に設定される開封予定位置に、水平方向への裁断を容易にするためのノッチを設けたもの等とすることも可能である。すなわち、開封予定位置の設定方法は、上記実施形態の如く、外周に（胴材および／または折り込み材に）水平方向の破線を印刷する方法に限定されず、水平方向への裁断のきっかけとなるノッチや切れ込みあるいは複数の細孔等の易開封手段を側端縁に設置する方法や、使用者が手で裁断可能なように複数の切線や、貫通あるいは未貫通の細孔を水平方向に直線状に連続的に設ける方法（貫通あるいは未貫通のミシン目を設ける方法）等に変更することも可能である。
【００５４】
また、上記実施形態の如く、袋体（ガゼット袋）を底部に折り込み部を設けたものとする場合でも、底部の折り込み部の設置方法は、左右の折り込み材の下端縁際の部分を鉛直断面がＭ字状になるように中側へ斜めに折り曲げて、それらの屈曲部分の内部に、底部の折り込み材の左右の両端際を挟み込ませる方法に限定されず、図８の如く、長尺な帯状の合成樹脂製シートを所定の態様で折り畳むことによって、左右の折り込み材と底部の折り込み材とを一緒に形成する（連ならせるように形成する）方法を採用することも可能である。
【００５５】
さらに、袋体は、上記実施形態の如く、左右の折り込み材の上端縁、帯状部材の上端縁、および表裏の胴材の上端縁の高さ位置が同一であるものに限定されず、左右の折り込み材の上端縁が表裏の胴材の上端縁よりも低くなっているとともに、帯状部材の上端縁の高さ位置が表裏の胴材の上端縁の高さ位置と同一であるもの、あるいは、図９の如く、左右の折り込み材の上端縁が表裏の胴材の上端縁よりも低くなっているとともに、帯状部材の上端縁の高さ位置が表裏の胴材の上端縁の高さ位置よりも低くなっているもの（ガゼット袋Ｐ３）等に変更することも可能である。図９の如き構成を採用した場合には、収納容器は、袋体の開口部が表裏の胴材のみで構成されており開口部を構成する合成樹脂シートの厚みが均一なものとなるので、味噌の充填（収納）が非常に容易なものとなる。
【００５６】
加えて、帯状部材は、上記実施形態の如く、ナイロンフィルム（ベースフィルム）の上下に、それぞれ、ＬＬＤＰＥフィルムを積層してなる三層構造の合成樹脂製シートからなるものに限定されず、異なる合成樹脂によって形成された合成樹脂製シートからなるものに変更することも可能である。さらに、帯状部材の層構造や厚みも、必要に応じて適宜変更することができる。また、帯状部材は、上記実施形態の如く、横長で単純なテープ状のものに限定されず、所定の部分の上下幅を異ならせたものや、貫通孔を設けたもの等でも良い。
【産業上の利用可能性】
【００５７】
本発明の収納容器は、上記の如く優れた効果を奏するものであるから、味噌の収納容器あるいは包装袋として好適に用いることができる。
【符号の説明】
【００５８】
Ｃ１・・収納容器
１・・ケース
２ａ，２ｂ・・胴材
３ａ，３ｂ・・折り込み材（左右）
４・・折り込み材（底部）
５・・側方シール部
１１・・ケース本体
１２・・蓋体
１５・・底シール部
Ｐ１〜Ｐ３・・ガゼット袋（袋体）
Ｃ・・開封予定位置
【図１】
2018047920.tif 000003
【図２】
2018047920.tif 000004
【図３】
2018047920.tif 000005
【図４】
2018047920.tif 000006
【図５】
2018047920.tif 000007
【図６】
2018047920.tif 000008
【図７】
2018047920.tif 000009
【図８】
2018047920.tif 000010
【図９】
2018047920.tif 000011